(57)【要約】  液滴分配システムからサンプルデータを収集するための方法および装置が提供される。
2021531483.tif 000002
【特許請求の範囲】
【請求項１】
リザーバを備える液滴分配システムを動作させるための方法であって、前記方法が、
前記リザーバ内の第１の流体サンプルを第１の圧力に加圧するステップであって、前記第１の流体サンプルが、その中に含まれる第１の量の混入空気を有する、ステップと、
前記第１の圧力において前記リザーバから前記第１の流体サンプルの第１の液滴を分配するステップと、
前記第１の圧力において分配中の前記第１の液滴の第１の速度を測定するステップと、
前記第１の液滴の第１の質量を測定するステップと、
第１のデータポイントとして、前記第１の速度と、前記第１の圧力と、前記第１の質量と、を記録するステップと、
前記リザーバ内の前記第１の流体サンプルを第２の圧力に加圧するステップと、
前記第２の圧力において前記リザーバから前記第１の流体サンプルの第２の液滴を分配するステップと、
前記第２の圧力において分配中の前記第２の液滴の第２の速度を測定するステップと、
前記第２の液滴の第２の質量を測定するステップと、
第２のデータポイントとして、前記第２の速度と、前記第２の圧力と、前記第２の質量と、を記録するステップと、
前記第１のデータポイントと前記第２のデータポイントとを含む比較データセットを生成するステップと、
前記リザーバ内の第２の流体サンプルを第３の圧力に加圧するステップと、
前記第３の圧力において前記リザーバから前記第２の流体サンプルの液滴を分配するステップと、
前記第３の圧力において分配中の前記第３の液滴の速度を測定するステップと、
前記第３の圧力と、前記液滴の速度と、前記比較データセットと、に基づいて、前記第２の流体サンプルの前記液滴の質量を決定するステップと、
を含む、方法。
【請求項２】
前記液滴分配システムが、前記リザーバに関連付けられた弁をさらに備え、
前記第１の流体サンプルの前記第１の液滴を分配するステップが、第１の事前定義された期間、前記弁を開くステップを含み、
前記第１の流体サンプルの前記第２の液滴を分配するステップが、第２の事前定義された期間、前記弁を開くステップを含み、
前記第２の流体サンプルの前記液滴を分配するステップが、第３の事前定義された期間、前記弁を開くステップを含み、前記第１の事前定義された期間、前記第２の事前定義された期間、および前記第３の事前定義された期間が、実質的に同じである、
請求項１に記載の方法。
【請求項３】
前記比較データセット内の前記第１のデータポイントと前記第２のデータポイントとの間の関係を識別するステップをさらに含み、前記比較データセットが、前記第１のデータポイントと前記第２のデータポイントとの間の前記関係をさらに含む、請求項１に記載の方法。
【請求項４】
前記第１のデータポイントと前記第２のデータポイントとの間の前記関係に基づいて、前記第１のデータポイントおよび前記第２のデータポイントから複数の仮想データポイントを外挿するステップをさらに含み、前記比較データセットが、前記複数の仮想データポイントをさらに含む、請求項３に記載の方法。
【請求項５】
前記複数の仮想データポイントを外挿するステップが、前記第１のデータポイントおよび前記第２のデータポイントに対して回帰分析を実行するステップを含む、請求項４に記載の方法。
【請求項６】
前記リザーバ内の第３の流体サンプルを第４の圧力に加圧するステップと、
前記第４の圧力において前記リザーバから前記第３の流体サンプルの第１の液滴を分配するステップと、
前記第４の圧力において分配中の前記第３の流体サンプルの前記第１の液滴の第１の速度を測定するステップと、
前記第３の流体サンプルの前記第１の液滴の第１の質量を測定するステップと、
第３のデータポイントとして、前記第３の流体サンプルの前記第１の液滴の前記第１の速度と、前記第４の圧力と、前記第３の流体サンプルの前記第１の液滴の前記第１の質量と、を記録するステップと、
第５の圧力において前記リザーバから前記第３の流体サンプルの第２の液滴を分配するステップと、
前記第５の圧力において分配中の前記第３の流体サンプルの前記第２の液滴の第２の速度を測定するステップと、
前記第３の流体サンプルの前記第２の液滴の第２の質量を測定するステップと、
第４のデータポイントとして、前記第３の流体サンプルの前記第２の液滴の前記第２の速度と、前記第５の圧力と、前記第３の流体サンプルの前記第２の液滴の前記第２の質量と、を記録するステップと、
をさらに含み、
前記比較データセットが、前記第３のデータポイントと前記第４のデータポイントとをさらに含む、請求項１に記載の方法。
【請求項７】
前記液滴分配システムが、前記リザーバに関連付けられた弁をさらに備え、
前記第１の流体サンプルの前記第１の液滴を分配するステップが、第１の事前定義された期間、前記弁を開くステップを含み、
前記第１の流体サンプルの前記第２の液滴を分配するステップが、第２の事前定義された期間、前記弁を開くステップを含み、
前記第２の流体サンプルの前記液滴を分配するステップが、第３の事前定義された期間、前記弁を開くステップを含み、
前記第３の流体サンプルの前記第１の液滴を分配するステップが、第４の事前定義された期間、前記弁を開くステップを含み、
前記第３の流体サンプルの前記第２の液滴を分配するステップが、第５の事前定義された期間、前記弁を開くステップを含み、前記第１の事前定義された期間、前記第２の事前定義された期間、前記第３の事前定義された期間、前記第４の事前定義された期間、および前記第５の事前定義された期間が、実質的に同じである、請求項６に記載の方法。
【請求項８】
前記比較データセット内の前記第１のデータポイントと前記第２のデータポイントとの間の第１の関係を識別するステップと、
前記比較データセット内の前記第３のデータポイントと前記第４のデータポイントとの間の第２の関係を識別するステップと、
をさらに含み、前記比較データセットが、前記第１の関係と前記第２の関係とをさらに含む、請求項６に記載の方法。
【請求項９】
前記第１のデータポイントと前記第２のデータポイントとの間の前記関係に基づいて、前記第１のデータポイントおよび前記第２のデータポイントから第１の複数の仮想データポイントを外挿するステップと、
前記第３のデータポイントと前記第４のデータポイントとの間の前記関係に基づいて、前記第１のデータポイントおよび前記第２のデータポイントから第２の複数の仮想データポイントを外挿するステップと、
をさらに含み、前記比較データセットが、前記第１の複数の仮想データポイントと前記第２の複数の仮想データポイントとをさらに含む、請求項８に記載の方法。
【請求項１０】
前記第１の複数の仮想データポイントを外挿するステップが、前記第１のデータポイントと前記第２のデータポイントとを曲線適合させるステップを含み、
前記第２の複数の仮想データポイントを外挿するステップが、前記第３のデータポイントと前記第４のデータポイントとを曲線適合させるステップを含む、
請求項９に記載の方法。
【請求項１１】
リザーバを備える液滴分配システムからサンプルデータを収集するための方法であって、前記方法が、
前記リザーバ内の第１の流体サンプルを第１の圧力に加圧するステップであって、前記第１の流体サンプルが、その中に含まれる第１の量の混入空気を有する、ステップと、
前記第１の圧力において前記リザーバから前記第１の流体サンプルの液滴を分配するステップと、
前記第１の圧力において分配中の前記第１の流体サンプルの前記第１の液滴の第１の速度を測定するステップと、
前記第１の流体サンプルの前記第１の液滴の第１の質量を測定するステップと、
第１のデータセット内の第１のデータポイントとして、前記第１の圧力と、前記第１の速度と、前記第１の質量と、を記録するステップと、
前記第１の流体サンプルに対するさらなる試験を、繰り返しパターンで、以下の順序、すなわち、
前記リザーバ内の前記第１の流体サンプルを異なる圧力に加圧する、
前記異なる圧力において前記リザーバから前記第１の流体サンプルの異なる液滴を分配する、
前記異なる圧力において分配中の前記異なる液滴の速度を測定する、
前記異なる液滴の質量を測定する、
前記第１のデータセット内の異なるデータポイントとして、前記第１の流体サンプルの前記異なる液滴の前記異なる圧力と、前記速度と、前記質量と、を記録する、
という順序で行うステップと、
前記リザーバ内の第２の流体サンプルを第１の圧力に加圧するステップであって、前記第２の流体サンプルが、その中に含まれる第２の量の混入空気を有する、ステップと、
前記第１の圧力において前記リザーバから前記第２の流体サンプルの液滴を分配するステップと、
前記第１の圧力において分配中の前記第２の流体サンプルの前記第１の液滴の第１の速度を測定するステップと、
前記第２の流体サンプルの前記第１の液滴の第１の質量を測定するステップと、
第２のデータセット内の第１のデータポイントとして、前記第１の圧力と、前記第１の速度と、前記第１の質量と、を記録するステップと、
前記第２の流体サンプルに対するさらなる試験を、繰り返しパターンで、以下の順序、すなわち、
前記リザーバ内の前記第２の流体サンプルを異なる圧力に加圧する、
前記異なる圧力において前記リザーバから前記第２の流体サンプルの異なる液滴を分配する、
前記異なる圧力において分配中の前記異なる液滴の速度を測定する、
前記異なる液滴の質量を測定する、
前記第２のデータセット内の異なるデータポイントとして、前記第２の流体サンプルの前記異なる液滴の前記異なる圧力と、前記速度と、前記質量と、を記録する、
という順序で行うステップと、
を含む、方法。
【請求項１２】
前記液滴分配システムが、前記リザーバに関連付けられた弁をさらに備え、
前記第１の流体サンプルの前記第１の液滴を分配するステップが、第１の事前定義された期間、前記弁を開くステップを含み、
前記第１の流体サンプルの前記異なる液滴を分配するステップが、第２の事前定義された期間、前記弁を開くステップを含み、
前記第２の流体サンプルの前記第１の液滴を分配するステップが、第３の事前定義された期間、前記弁を開くステップを含み、
前記第２の流体サンプルの前記異なる液滴を分配するステップが、第４の事前定義された期間、前記弁を開くステップを含み、前記第１の事前定義された期間、前記第２の事前定義された期間、前記第３の事前定義された期間、および前記第４の事前定義された期間が、実質的に同じである、請求項１１に記載の方法。
【請求項１３】
液滴分配試験システムであって、
メモリ内に記憶された命令を実行する１つまたは複数のプロセッサを備えるコンピューティングシステムであって、前記命令が、前記１つまたは複数のプロセッサに、
リザーバ内の第１の流体サンプルを第１の圧力に加圧させ、前記第１の流体サンプルが、その中に含まれる第１の量の混入空気を有し、
前記第１の圧力において前記リザーバから前記第１の流体サンプルの第１の液滴を分配させ、
前記第１の圧力において分配中の前記第１の液滴の第１の速度を測定させ、
前記第１の液滴の第１の質量を測定させ、
第１のデータポイントとして、前記第１の速度と、前記第１の圧力と、前記第１の質量と、を記録させ、
前記リザーバ内の前記第１の流体サンプルを第２の圧力に加圧させ、
前記第２の圧力において前記リザーバから前記第１の流体サンプルの第２の液滴を分配させ、
前記第２の圧力において分配中の前記第２の液滴の第２の速度を測定させ、
前記第２の液滴の第２の質量を測定させ、
第２のデータポイントとして、前記第２の速度と、前記第２の圧力と、前記第２の質量と、を記録させ、
前記第１のデータポイントと前記第２のデータポイントとを含む比較データセットを生成させる、
コンピューティングシステムと、
メモリ内に記憶された命令を実行する１つまたは複数のプロセッサを備える液滴分配システムであって、前記命令が、前記１つまたは複数のプロセッサに、
前記リザーバ内の第２の流体サンプルを第３の圧力に加圧させ、
前記第３の圧力において前記リザーバから前記第２の流体サンプルの液滴を分配させ、
前記第３の圧力において分配中の前記第３の液滴の速度を測定させ、
前記第３の圧力と、前記液滴の速度と、前記比較データセットと、に基づいて、前記第２の流体サンプルの前記液滴の質量を決定させる、
液滴分配システムと、
を備える、液滴分配試験システム。
【請求項１４】
前記液滴分配システムが、前記リザーバに関連付けられた弁をさらに備え、
前記プロセッサに、前記第１の流体サンプルの前記第１の液滴を分配させることが、前記プロセッサに、第１の事前定義された期間、前記弁を開かせることを含み、
前記プロセッサに、前記第１の流体サンプルの前記第２の液滴を分配させることが、前記プロセッサに、第２の事前定義された期間、前記弁を開かせることを含み、
前記プロセッサに、前記第２の流体サンプルの前記液滴を分配させることが、前記プロセッサに、第３の事前定義された期間、前記弁を開かせることを含み、
前記第１の事前定義された期間、前記第２の事前定義された期間、および前記第３の事前定義された期間が、実質的に同じである、請求項１３に記載の液滴分配試験システム。
【請求項１５】
前記コンピューティングシステムについて、前記プロセッサに、前記比較データセット内の前記第１のデータポイントと前記第２のデータポイントとの間の関係を識別させることをさらに含み、前記比較データセットが、前記第１のデータポイントと前記第２のデータポイントとの間の前記関係をさらに含む、請求項１３に記載の液滴分配試験システム。
【請求項１６】
前記コンピューティングシステムについて、前記プロセッサに、前記第１のデータポイントと前記第２のデータポイントとの間の前記関係に基づいて、前記第１のデータポイントおよび前記第２のデータポイントから複数の仮想データポイントを外挿させることをさらに含み、前記比較データセットが、前記複数の仮想データポイントをさらに含む、請求項１５に記載の液滴分配試験システム。
【請求項１７】
前記プロセッサに、前記複数の仮想データポイントを外挿させることが、前記プロセッサに、前記第１のデータポイントおよび前記第２のデータポイントに対して回帰分析を実行させることを含む、請求項１６に記載の液滴分配試験システム。
【請求項１８】
前記コンピューティングシステムについて、前記命令が、さらに前記１つまたは複数のプロセッサに、
第４の圧力において前記リザーバから第３の流体サンプルの第１の液滴を分配させ、
前記第４の圧力において分配中の前記第３の流体サンプルの前記第１の液滴の第１の速度を測定させ、
前記第３の流体サンプルの前記第１の液滴の第１の質量を測定させ、
第３のデータポイントとして、前記第３の流体サンプルの前記第１の液滴の前記第１の速度と、前記第４の圧力と、前記第３の流体サンプルの前記第１の液滴の前記第１の質量と、を記録させ、
第５の圧力において前記リザーバから前記第３の流体サンプルの第２の液滴を分配させ、
前記第５の圧力において分配中の前記第３の流体サンプルの前記第２の液滴の第２の速度を測定させ、
前記第３の流体サンプルの前記第２の液滴の第２の質量を測定させ、
第４のデータポイントとして、前記第３の流体サンプルの前記第２の液滴の前記第２の速度と、前記第５の圧力と、前記第３の流体サンプルの前記第２の液滴の前記第２の質量と、を記録させ、前記比較データセットが、前記第３のデータポイントと前記第４のデータポイントとをさらに含む、請求項１３に記載の液滴分配試験システム。
【発明の詳細な説明】
【技術分野】
【０００１】
関連出願への参照
本出願は、２０１８年７月２０日に出願した、Ａｐｐａｒａｔｕｓ  ａｎｄ  Ｍｅｔｈｏｄ  ｆｏｒ  Ｄｅｔｅｃｔｉｏｎ  ｏｆ  Ｂｕｂｂｌｅｓと題する米国仮特許出願第６２／７０１，０６１号の優先権を主張し、この仮特許出願をその全体において参照により本明細書に組み込む。
【０００２】
液滴分配システムからサンプルデータを収集するための方法が提供される。サンプルデータは、液滴を物理的に測定することなく、液滴分配システムからの液滴の質量を決定するために使用される。
【背景技術】
【０００３】
液体堆積プロセスは、今日、広範囲の用途に使用されており、典型的には、リザーバから離れた場所に、ある量の液体（例えば、液滴）を堆積させることを伴う。そのような液体堆積プロセスの一例は、ノズルから基板上の特定の場所にある量の液体を放出することを伴う印刷プロセスである。そのような液体堆積プロセスの別の例は、他の試薬と反応させるために、正確な量の液体試薬をセルに堆積させることを伴うコンビナトリアルケミストリー実験である。そのような液体堆積プロセスのさらに別の例は、表面にある量の液体を堆積させることと、表面の濡れ性を評価するために表面上の結果として生じる液滴の寸法を測定することとを伴う表面付着試験プロセスである。これらのプロセスは、典型的には、堆積される液体の量の正確な制御を必要とし、場合によっては、印刷また表面付着試験などについて、堆積されている液体の速度の制御も必要とする可能性がある。
【０００４】
一般に、これらの液体堆積プロセスは、加圧流体のリザーバと、リザーバに関連付けられた弁と、を含む流体堆積システムを利用する。弁は、リザーバから所望の量の加圧流体を分配するために選択的に開閉される。分配される液体の量は、典型的には、加えられる圧力と、弁が開かれる時間量と、を変化させることによって制御される。事前定義された弁サイクル時間（例えば、弁が開いたままである時間量）の間、リザーバから分配される流体の量は、液体の分配速度に比例する可能性がある。例えば、事前定義された弁サイクル時間の間、リザーバから分配される流体の速度が高いほど、より多くの量の流体がそこから分配される。しかしながら、分配される液体の量は、液体の特性（例えば、粘度）、システム構成要素の機械的特性（例えば、流れに対する抵抗）、および／または液体堆積システムのコンプライアンスによって影響を受ける可能性もある。
【０００５】
液体堆積システムのコンプライアンスは、圧力下にあるときに膨張する液体堆積システムの構成要素の感受性の測定値であると理解され得る。構成要素の膨張は、弁が開かれたときに、圧力のみから可能であるよりも高い速度におけるリザーバからの液体の分配を促進するために、機械的エネルギーが加圧流体に少なくとも部分的に加えられ得るように、機械的エネルギーを蓄積することができる。したがって、分配される液体の速度は、より高いコンプライアンスを有する構成要素（例えば、より柔らかい構成要素）がより低いコンプライアンスを有する構成要素（例えば、より硬い構成要素）よりも高い速度を生成し得るように、システムの構成要素のコンプライアンスの関数でもあり得る。
【０００６】
液体堆積システムのコンプライアンスは、（例えば、システムの不完全なパージ、または液体内の溶存ガスによる）液体堆積システム内の気泡の存在によって影響される可能性もある。気泡は、液体が圧力下にあるとき、システム内に存在する任意の気泡が機械的エネルギーを効果的に蓄積することができるように、概して弾性特性を有する。弁が開かれると、気泡は、蓄積されたエネルギーを放出し、それによって、圧力のみから可能であるよりも高い速度において流体を分配させることができる。流体内に存在する気泡の量は、決定することが困難である可能性があり、したがって、結果として生じる分配される流体の速度および体積における変化は、予測不可能である可能性があり、分配プロセスにおける不正確さを結果として生じる。
【発明の概要】
【課題を解決するための手段】
【０００７】
特定の実施形態は、添付図面と合わせて読まれる以下の説明から、よりよく理解されると考えられる。
【図面の簡単な説明】
【０００８】
【図１】液滴分配システムを示す概略図である。
【図２】図１の液滴分配システムにおいて試験される異なる流体サンプルに関する液滴の圧力と速度との間の関係を示す１対の曲線のプロットである。
【図３】図１の液滴分配システムにおいて試験される異なる流体サンプルに関する液滴の速度と質量との間の関係を示す１対の曲線のプロットである。
【発明を実施するための形態】
【０００９】
本明細書で開示する装置、システム、方法、およびプロセスの構造、機能、および使用の原理の全体的な理解を提供するために、ここで本開示の様々な非限定的な実施形態について説明する。これらの非限定的な実施形態の１つまたは複数の例が、添付図面に示されている。当業者は、本明細書で具体的に説明され、添付図面に示されたシステムおよび方法が非限定的な実施形態であることを理解するであろう。１つの非限定的な実施形態に関連して示されたまたは説明された特徴は、他の非限定的な実施形態の特徴と組み合わされ得る。そのような修正および変形は、本開示の範囲内に含まれることが意図されている。
【００１０】
本明細書全体を通して、「様々な実施形態」、「いくつかの実施形態」、「一実施形態」、「いくつかの例示的な実施形態」。「１つの例示的な実施形態」、または「実施形態」への言及は、任意の実施形態に関連して説明した特定の特徴、構造、または特性が少なくとも１つの実施形態に含まれることを意味する。したがって、本明細書の各所における「様々な実施形態において」、「いくつかの実施形態において」、「一実施形態において」、「いくつかの例示的な実施形態」、「１つの例示的な実施形態」、または「実施形態において」というフレーズの出現は、必ずしもすべてが同じ実施形態を指しているわけではない。さらに、特定の特徴、構造、および特性は、１つまたは複数の実施形態において任意の適切な方法で組み合わされ得る。本明細書で開示する様々な実施形態において、所与の１つまたは複数の機能を実行するために、単一の構成要素が、複数の構成要素によって置き換えられ得、複数の構成要素が、単一の構成要素によって置き換えられ得る。そのような置換が有効でない場合を除き、そのような置換は、実施形態の意図された範囲内にある。
【００１１】
本明細書で説明されているのは、液滴分配システムからサンプルデータを収集し、液滴を物理的に測定することなく液滴の質量を決定するためにサンプルデータを使用するための装置、システム、および方法の例示的な実施形態である。
【００１２】
本明細書で論じる例は、単なる例であり、本明細書で説明する装置、デバイス、システム、および方法の説明を支援するために提供される。図面に示す、または以下で論じる特徴または構成要素のいずれも、特に必須として指定されていない限り、これらの装置、デバイス、システム、または方法のうちのいずれかの任意の特定の実装形態に対して必須とみなされるべきではない。読みやすく明確にするために、特定の構成要素、モジュール、または方法について、特定の図に関連してのみ説明している場合がある。構成要素組合せまたは部分的組合せを具体的に説明していない場合でも、任意の組合せまたは部分的組合せが不可能であることを示すものとして理解されるべきではない。また、説明されている任意の方法について、方法がフロー図に関連して説明されているかどうかにかかわらず、文脈によって別段に指定または要求されない限り、方法の実行において実行されるステップの任意の明示的または暗黙的な順序付けは、それらのステップが提示された順序で実行されなければならないことを意味せず、代わりに、異なる順序でまたは並列に実行され得ることが理解されるべきである。
【００１３】
一般に、本明細書で説明する実施形態のうちの少なくともいくつかは、ソフトウェア、ファームウェア、および／またはハードウェアの多くの異なる実施形態において実施され得ることが当業者には明らかであろう。ソフトウェアコードおよびファームウェアコードは、プロセッサまたは任意の他の同様のコンピューティングデバイスによって実行され得る。実施形態を実施するために使用され得るソフトウェアコードまたは特殊な制御ハードウェアは、限定的ではない。例えば、本明細書で説明する実施形態は、例えば、従来のまたはオブジェクト指向の技法を使用して、任意の適切なコンピュータソフトウェア言語タイプを使用して、コンピュータソフトウェアにおいて実装され得る。そのようなソフトウェアは、例えば、磁気または光記憶媒体などの、任意のタイプの適切なコンピュータ可読媒体上に記憶され得る。実施形態の動作および挙動は、特定のソフトウェアコードまたは特殊なハードウェア構成要素への特定の参照なしに説明され得る。当業者は、それ以上の合理的な努力なしに、かつ過度の実験なしに、本明細書に基づいて実施形態を実施するためにソフトウェアおよび制御ハードウェアを設計することができることが明確に理解されるので、そのような特定の参照がないことは、実現可能である。
【００１４】
さらに、本明細書で説明するプロセスは、コンピュータもしくはコンピュータシステムおよび／またはプロセッサなどのプログラム可能な機器によって実行され得る。プログラム可能な機器にプロセスを実行させることができるソフトウェアは、例えば、コンピュータシステム（不揮発性）メモリ、光ディスク、磁気テープ、または磁気ディスクなどの任意の記憶デバイス内に記憶され得る。さらに、コンピュータシステムが製造されるか、または様々なタイプのコンピュータ可読媒体上に記憶されるとき、プロセスのうちの少なくともいくつかがプログラムされ得る。
【００１５】
本明細書で説明するプロセスの特定の部分は、プロセスステップを実行するようにコンピュータシステムに指示する１つまたは複数のコンピュータ可読媒体上に記憶された命令を使用して実行され得ることも理解され得る。コンピュータ可読媒体は、例えば、ディスケット、コンパクトディスク（ＣＤ）、デジタル多用途ディスク（ＤＶＤ）、光ディスクドライブ、またはハードディスクドライブなどのメモリデバイスを含むことができる。コンピュータ可読媒体は、物理的、仮想的、永続的、一時的、半永続的、および／または半一時的であるメモリストレージを含むこともできる。
【００１６】
「コンピュータ」、「コンピュータシステム」、「ホスト」、「サーバ」、または「プロセッサ」は、例えば、限定はしないが、プロセッサ、マイクロコンピュータ、ミニコンピュータ、サーバ、メインフレーム、ラップトップ、携帯情報端末（ＰＤＡ）、ワイヤレス電子メールデバイス、携帯電話、ページャ、プロセッサ、ファックス機、スキャナ、またはネットワークを介してデータを送信および／もしくは受信するように構成された任意の他のプログラム可能なデバイスであり得る。本明細書で開示するコンピュータシステムおよびコンピュータベースのデバイスは、情報を取得、処理、および通信する際に使用される特定のソフトウェアモジュールを記憶するためのメモリを含むことができる。そのようなメモリは、開示した実施形態の動作に対して内部または外部であり得ることが理解され得る。メモリは、ハードディスク、光ディスク、フロッピーディスク、ＲＯＭ（読み取り専用メモリ）、ＲＡＭ（ランダムアクセスメモリ）、ＰＲＯＭ（プログラマブルＲＯＭ）、ＥＥＰＲＯＭ（電気的消去可能ＰＲＯＭ）、および／または他のコンピュータ可読媒体を含む、ソフトウェアを記憶するための任意の手段を含むこともできる。本明細書で使用される非一時的コンピュータ可読媒体は、一時的な伝播する信号を除くすべてのコンピュータ可読媒体を含む。
【００１７】
本開示によるコンピュータシステムは、クライアントデバイス上で実行される、ＳＡＦＡＲＩ（登場商標）、ＯＰＥＲＡ（登場商標）、ＧＯＯＧＬＥ  ＣＨＲＯＭＥ（登場商標）、ＩＮＴＥＲＮＥＴ  ＥＸＰＬＯＲＥＲ（登場商標）などのウェブブラウザなどの、任意の適切な技法を介してアクセスされ得る。いくつかの実施形態において、本明細書で説明するシステムおよび方法は、ウェブベースのアプリケーションまたはスタンドアロンの実行可能ファイルであり得る。加えて、いくつかの実施形態において、本明細書で説明するシステムおよび方法は、監視および制御システムなどの様々なタイプのコンピュータシステムと統合され得る。ラップトップコンピュータ、デスクトップコンピュータ、スマートフォン、タブレットコンピュータ、ゲームシステムなどのコンピューティングシステムにアクセスまたは実行するために、任意の適切なクライアントデバイスが使用され得る。本明細書で説明するシステムおよび方法は、一般に、リアルタイムまたはほぼリアルタイムの監視環境を提供し得る。システムとの対話は、限定はしないが、キーボード入力、ペン、スタイラス、指などからの書き込み、コンピュータのマウスによる、または他の形式の入力（音声認識など）を含み得る。ダッシュボードまたは他のメトリックが、タブレット、デスクトップなどにおいて提示され得る。
【００１８】
図全体にわたって同様の数字が同じまたは対応する要素を示す図１〜図３の図および例に関連して、図１は、本明細書でさらに説明するように、液滴分配システム１２の試験を容易にするために利用され得る試験システム１０の一実施形態を示す。
【００１９】
試験システム１０は、例えば、パーソナルコンピュータ、モバイル通信デバイス、ラップトップ、タブレット、サーバ、メインフレーム、または複数のコンピュータの集合（例えば、ネットワーク）などの任意の適切なプロセッサベースのデバイスまたはシステムを使用して提供され得るコンピューティングシステム１４を含むことができる。コンピューティングシステム１４は、１つまたは複数のプロセッサ１６と、１つまたは複数のメモリユニット１８と、を含むことができる。便宜上、１つのプロセッサ１６および１つのメモリユニット１８のみが図１に示されている。プロセッサ１６は、メモリユニット１８上に記憶されたソフトウェア命令を実行することができる。プロセッサ１６は、１つまたは複数のコアを有する集積回路（ＩＣ）として実装され得る。コンピューティングシステム１４は、画像処理の様々な態様を支援するために、１つまたは複数のグラフィック処理ユニット（ＧＰＵ）を利用することもできる。メモリユニット１８は、揮発性および／または不揮発性メモリユニットを含むことができる。揮発性メモリユニットは、例えば、ランダムアクセスメモリ（ＲＡＭ）を含むことができる。不揮発性メモリユニットは、例えば、読み取り専用メモリ（ＲＯＭ）、ならびに、例えば、ハードディスクドライブ、光ディスクドライブなどの機械的不揮発性メモリシステムを含むことができる。ＲＡＭおよび／またはＲＯＭメモリユニットは、例えば、ディスクリートメモリＩＣとして実装され得る。
【００２０】
メモリユニット１８は、本明細書で説明するコンピューティングシステム１４によって使用するための実行可能ソフトウェアおよびデータを記憶することができる。コンピューティングシステム１４のプロセッサ１６がソフトウェアを実行すると、プロセッサ１６は、サンプルデータを収集する、サンプルデータからデータセットを生成する、およびサンプルデータから液滴の質量を決定するなどの、コンピューティングシステム１４の様々な動作を実行させられ得る。
【００２１】
コンピューティングシステム１４によって収集および使用されるデータは、ハードディスクドライブ、読み取り専用メモリ（例えば、ＲＯＭ  ＩＣ）、または他のタイプの不揮発性メモリなどの不揮発性コンピュータメモリであり得るデータストア２０などの様々なソースにおいて記憶され得る。いくつかの実施形態において、データストア２０は、例えば、リモート電子コンピュータシステム（例えば、クラウドベースのストレージ）において記憶され得る。理解されるべきように、様々な他のデータストア、データベース、または他のタイプのメモリストレージ構造が利用され得るか、またはコンピューティングシステム１４に関連付けられ得る。
【００２２】
液滴分配システム１２は、リザーバ２２と、リザーバ２２に関連付けられた圧力源２４と、リザーバ２２に関連付けられた弁２６と、を含むことができる。リザーバ２２は、流体２８を含むことができ、圧力源２４は、リザーバ２２内の流体２８に異なる圧力を選択的に加えるように構成され得る。一実施形態において、圧力源２４は、ポンプであり得る。弁２６は、リザーバ２２から基板３４上への流体の液滴３０の分配を容易にするために、閉位置と開位置との間で選択的に作動され得る。圧力源２４および弁２６は、リザーバ２２から基板３４上への液滴３０の分配を容易にするために圧力源２４と弁２６とを制御するように構成されたコントローラ３２に関連付けられ得る。一実施形態において、コントローラ３２は、オンチップコントローラであり得る。液滴分配システム１２は、弁２６に隣接して設けられ、弁２６から基板３４上に分配される液滴３０の速度を測定するように構成された速度センサ３６を含むことができる。一実施形態において、速度センサ３６は、互いに既知の距離だけ離間された１対の光バリアビームを有するクロノグラフを備えることができる。そのような実施形態において、液滴３０の速度は、液滴３０が光バリアビームの各々の経路を遮断する間の経過時間に基づいて測定される。
【００２３】
一実施形態において、液滴分配システム１２は、基板の濡れ特性の測定を容易にする表面試験デバイスであり得る。そのような表面試験デバイスの一例は、参照によりその全体が本明細書に組み込まれる米国特許第８，２７２，２５４号明細書において開示されている。別の実施形態において、液滴分配システム１２は、インクジェットプリンタであり得る。以下に説明する方法およびプロセスのために様々な適切な代替の液滴分配システムのいずれかが企図されることが理解されるべきである。
【００２４】
液滴３０の質量を知ることは、特定の液滴分配システムにおいて有用である可能性があることが理解されるべきである。しかしながら、液滴分配システム１２において使用される流体２８は、混入空気（例えば、微小気泡）を本質的に含む可能性があり、これは、所与の圧力および弁２６の開放時間に対して質量を正確に予測する能力に影響を与える。流体２８中に含まれる混入空気の量は、測定および／または制御することが困難である可能性があり、流体がリザーバ２２内に提供されるたびに異なる可能性がある。結果として、分配された液滴の質量は、液滴３０を物理的に測定することなく予測することが困難である可能性があり、液滴３０を物理的に測定することは、現場での液滴分配システム１２の使用中に達成することが困難であり、場合によっては不可能である可能性がある。次に、液滴分配システム１２からサンプルデータを収集するための方法について論じる。サンプルデータは、異なる量の混入空気を有する流体について、液滴分配システム１２から分配された液滴の質量を決定する際に有用である可能性がある。
【００２５】
第１に、リザーバ２２は、未知の量の混入空気（例えば、ゼロである可能性がある）を本質的に含む第１の流体サンプル（例えば、２８）で満たされる。第１の圧力が、圧力源２４を介して第１の流体サンプルに加えられ、液滴（例えば、３０）が、ある経過時間の間、弁２６を開閉することによって、リザーバ２２から分配される。液滴の速度は、速度センサ３６を用いて測定され、液滴の質量は、計量される。液滴の圧力、速度、および質量は、コンピューティングシステム１４のデータストア２０内にデータポイントとして記録される。次いで、異なる圧力が第１の流体サンプルに加えられ、異なる液滴が、前の液滴と同じ（例えば、実質的に同じ）経過時間の間、弁２６を開閉することによって、リザーバ２２から分配される。液滴の速度は、速度センサ３６を用いて測定され、液滴の質量は、計測される。異なる液滴の圧力、速度、および質量は、コンピューティングシステム１４のデータストア２０内に第１の流体サンプルに関する別のデータポイントとして記録される。このプロセスは、次いで、十分なデータセット（例えば、グループ化）が第１の流体サンプルについて生成されるまで、様々な圧力に対して繰り返される。
【００２６】
一実施形態において、試験は、手動で実行され得、コンピューティングシステム１４に（例えば、キーボードを介して）手動で記録され得る。別の実施形態において、試験は、データセットが（例えば、通信インターフェースを介して）コンピューティングシステム１４に自動的に記録されるように、コンピューティングシステム１４によって自動化され得る。
【００２７】
データセットは、第１の流体サンプルに関する圧力と、速度と、液滴質量と、の間の関係を表すことができる。図２は、第１の流体サンプルに関する速度と圧力との間の関係を示すために、第１の流体サンプルに関するデータセットから生成され得る曲線Ｃ１の一例を示す。曲線Ｃ１は、曲線Ｃ１を生成するために曲線適合（または他の方法で外挿）されたデータセットからの様々なデータポイントＰ１１〜Ｐ１５から構成され得る。図３は、第１の流体サンプルに関する液滴質量と速度との間の関係を示すために、第１の流体サンプルに関するデータセットから生成され得る曲線Ｃ１１の一例を示す。曲線Ｃ１１は、曲線Ｃ１１を生成するために曲線適合（または他の方法で外挿）されたデータセットからの様々なデータポイントＰ１１１〜Ｐ１１５から構成され得る。
【００２８】
第１の流体サンプルに対する試験が完了すると、リザーバ２２は、空にされ、未知の量の混入空気も含む第２の流体サンプルで満たされる。圧力が第２の流体サンプルに加えられ、液滴がリザーバ２２から分配される。液滴の速度は、速度センサ３６を用いて測定され、液滴の質量は、計量される。液滴の圧力、速度、および質量は、コンピューティングシステム１４のデータストア２０内に第２の流体サンプルに関するデータポイントとして記録される。次いで、異なる圧力が第２の流体サンプルに加えられ、異なる液滴が、前の液滴と同じ（例えば、実質的に同じ）経過時間の間、弁２６を開閉することによって、リザーバ２２から分配される。液滴の速度は、速度センサ３６を用いて測定され、液滴の質量は、計測される。異なる液滴の圧力、速度、および質量は、コンピューティングシステム１４のデータストア２０内に第２の流体サンプルに関する別のデータポイントとして記録される。このプロセスは、次いで、十分なデータセット（例えば、グループ化）が第２の流体サンプルについて生成されるまで、様々な圧力に対して繰り返される。
【００２９】
データセットは、第２の流体サンプルに関する圧力と、速度と、液滴質量と、の間の関係を表すことができる。図２は、第１の流体サンプルに関する速度と圧力との間の関係を示すために、第１の流体サンプルに関するデータセットから生成され得る曲線Ｃ２の一例を示す。曲線Ｃ２は、曲線Ｃ２を生成するために曲線適合（または他の方法で外挿）されたデータセットからの様々なデータポイントＰ２１〜Ｐ２５から構成され得る。図３は、第１の流体サンプルに関する液滴質量と速度との間の関係を示すために、第１の流体サンプルに関するデータセットから生成され得る曲線Ｃ２２の一例を示す。曲線Ｃ２２は、曲線Ｃ２２を生成するために曲線適合（または他の方法で外挿）されたデータセットからの様々なデータポイントＰ２２１〜Ｐ２２５から構成され得る。
【００３０】
プロセスは、液滴分配システム１２に関するサンプルデータの完全な集合を生成するために、所望の数の流体サンプル、流体タイプ、および／または弁開放時間に対して繰り返され得ることが理解されるべきである。試験が完了すると、サンプルデータ（任意の補間／外挿されたデータを含む）は、液滴分配システム１２の試運転プロセスの一部として、比較サンプルデータとして液滴分配システム１２上にロードされ得る。一実施形態において、比較サンプルデータは、ルックアップテーブルを含むことができる。
【００３１】
現場での液滴分配システム１２の動作中、各液滴は、特定の圧力および弁開放時間における液滴分配システム１２から分配され得る。液滴の分配中、液滴の速度は、速度センサ３６によって測定され得る。次いで、圧力、弁開放時間、および液滴の速度は、液滴の質量を決定するために、比較サンプル時間と比較され得る。特に、圧力、弁開放時間、および液滴の速度は、比較サンプルデータにおけるデータポイントの各々と比較され得る。圧力、弁開放時間、および液滴の速度と最も一致する圧力、弁開放時間、および速度を有するデータポイントが識別され得、データポイントにおいてリストされている質量が、液滴に関する質量として使用され得る。したがって、比較サンプルデータは、従来の構成よりも正確に、かつ液滴の物理的測定を必要とすることなく、液滴の質量を決定するために使用され得る。
【００３２】
液滴分配システムの各々が同様の方法で比較サンプルデータを使用することを可能にするために、液滴分配システム１２から取得された比較サンプルデータは、製造中に他の同様の液滴分配システムにおいて展開され得ることが理解されるべきである。
【００３３】
本開示の実施形態および例の前述の説明は、例示および説明の目的のために提示されている。網羅的であること、または本開示を説明した形態に限定することを意図していない。上記の教示に照らして、多くの修正が可能である。それらの修正のうちのいくつかは、論じられており、その他のものは当業者によって理解されるであろう。実施形態は、本開示の原理、および企図される特定の使用に適した様々な実施形態を最もよく例示するために選択され、説明された。本開示の範囲は、もちろん、本明細書に記載の例または実施形態に限定されず、当業者によって任意の数のアプリケーションおよび同等のデバイスにおいて採用され得る。むしろ、本発明の範囲は、本明細書に添付された特許請求の範囲によって定義されることが本明細書によって意図されている。また、特許請求および／または説明された任意の方法について、方法がフロー図に関連して説明されているかどうかにかかわらず、文脈によって別段に指定または要求されない限り、方法の実行において実行されるステップの任意の明示的または暗黙的な順序付けは、それらのステップが提示された順序で実行されなければならないことを意味せず、異なる順序でまたは並列に実行され得ることが理解されるべきである。
【符号の説明】
【００３４】
１０  試験システム
１２  液滴分配システム
１４  コンピューティングシステム
１６  プロセッサ
１８  メモリユニット
２０  データストア
２２  リザーバ
２４  圧力源
２６  弁
２８  流体
３０  液滴
３２  コントローラ
３４  基板
３６  速度センサ
【図１】
2021531483.tif 000003
【図２】
2021531483.tif 000004
【図３】
2021531483.tif 000005
【国際調査報告】
2021531483.tif 000006